(57)【要約】【課題】空きスペースに商品やサービスの広告が印刷された広告付き名刺を自動的に印刷することができ、顧客、広告主及び名刺作成業者の三者に利益を与えることができる広告付き名刺の作成システムを提供する。【解決手段】名刺の作成を依頼する顧客が操作する顧客端末１と、名刺への広告の掲載を希望する広告主が操作する広告主端末２と、名刺の作成業者が保有する作成者設備３と、これらの各端末及び作成者設備を接続する通信回線４とをもって広告付き名刺の作成システムを構成する、顧客端末１は顧客により入力された広告印刷許可を含む顧客データ１４を通信回線４を介して作成者設備３に送信し、広告主端末２は広告主により入力された広告データ１５を通信回線４を介して作成者設備３に送信する。作成者設備３は、顧客データ１４と広告データ１５とを照合して顧客データに適合する広告データを選択し、名刺用紙に少なくとも顧客の氏名と広告とを含む所要の事項が印刷された名刺を作成する。【選択図】図１
2005122589.tif 000002
【特許請求の範囲】
【請求項１】
名刺の作成を依頼する顧客が操作する顧客端末と、名刺への広告の掲載を希望する広告主が操作する広告主端末と、名刺の作成業者が保有する作成者設備と、これらの各端末及び作成者設備を接続する通信回線とを備え、
前記顧客端末は、前記顧客により入力された広告印刷許可を含む顧客データを前記通信回線を介して前記作成者設備に送信し、
前記広告主端末は、前記広告主により入力された広告データを前記通信回線を介して前記作成者設備に送信し、
前記作成者設備は、前記顧客データと前記広告データとを照合して前記顧客データに適合する前記広告データを選択し、名刺用紙に少なくとも顧客の氏名と広告とを含む所要の事項が印刷された名刺を作成し、
前記作成業者は、作成された前記名刺を前記顧客に納品することを特徴とする広告付き名刺の作成システム。
【請求項２】
前記顧客端末が前記作成業者と関連する店舗に設置された専用端末であり、その表示画面には前記顧客データの入力欄が表示されていることを特徴とする請求項１に記載の広告付き名刺の作成システム。
【請求項３】
前記顧客端末が前記顧客の所有に係るパーソナルコンピュータ又は携帯電話若しくは所有者より使用許可を得たパーソナルコンピュータであり、前記作成業者が開設するウエブサイトにアクセスすることにより、その表示画面に前記顧客データの入力欄が表示されることを特徴とする請求項１に記載の広告付き名刺の作成システム。
【請求項４】
前記作成者設備は、前記名刺に印刷された顧客の顧客データを、当該顧客の名刺に広告を掲載した広告主の広告主端末に送信することを特徴とする請求項１に記載の広告付き名刺の作成システム。
【発明の詳細な説明】
【技術分野】
【０００１】
本発明は、裏面などの空きスペースに商品やサービスの広告が印刷された広告付き名刺の作成システムに関する。
【背景技術】
【０００２】
従来より、名刺の作成システムとしては、名刺の印刷を請け負う店舗に顧客が出向いて係員に住所、氏名、電話番号、好みの書体及び印刷枚数などの必要事項を口頭で伝えるというものがほとんどであったが、近年においては、インターネット等の通信システムの発達に伴い、端末装置より名刺の作成業者に必要事項を電子データの形で送信するというシステムも開発されている。
【０００３】
また、名刺の印刷形式としては、名刺用紙の片面に住所、氏名、電話番号などの文字のみを印刷したもの、住所等の印刷面に社標その他のデザインや名刺使用者の顔写真を印刷したもの、それに裏面に当該名刺の使用者が属する会社等の営業品目や広告を印刷したものなどが知られている。
【０００４】
なお、特許庁のホームページにアクセスして１９９０年１月１日から２００３年１０月１日までの特許公報及び実用新案公報について調査したが、通信回線を利用した名刺の作成システムを検出することはできなかった。
【発明の開示】
【発明が解決しようとする課題】
【０００５】
ところで、名刺は、主として社会人が自己の所属する組織と共に自己を紹介するための媒体として多く使用されているが、近年では、大学生が自己の所属するサークルと共に自己を紹介するための媒体として使用したり、高校生が遊び感覚で自己紹介用に交換したり、ペットの飼い主が遊び感覚でペット名の名刺を交換する例も多くなってきている。
【０００６】
社会人が使用する名刺については、その性質上、自己の所属する組織以外の組織が提供する商品やサービスの広告を印刷することはありえない。
【０００７】
これに対して、大学生が自己の所属するサークルと共に自己を紹介するための媒体として使用される名刺や高校生が遊び感覚で使用する名刺、それにペットの飼い主がペット名で使用する名刺については、自己の所属する組織に不利益を与えるということがないので裏面などの空きスペースに商品やサービスの広告を自由に印刷することができ、使用される枚数が多いことから商品やサービス等の広告媒体として有用である。
【０００８】
しかしながら、従来の名刺作成システムには、顧客から広告印刷の許可を得る手段、広告主からの広告の掲載を受け付ける手段、及び顧客のパーソナルデータから最適な広告を選択する手段が備えられておらず、顧客から依頼された名刺の空きスペースに商品やサービスの広告を印刷することが不可能であった。
【０００９】
本発明は、かかる知見に基づいてなされたものであり、その目的は、裏面などの空きスペースに商品やサービスの広告が印刷された広告付き名刺を自動的に印刷することができ、顧客、広告主及び名刺作成業者の三者に利益を与えることができる広告付き名刺の作成システムを提供することにある。
【課題を解決するための手段】
【００１０】
本発明は、前記課題を解決するため、広告付き名刺の作成システムを、名刺の作成を依頼する顧客が操作する顧客端末と、名刺への広告の掲載を希望する広告主が操作する広告主端末と、名刺の作成業者が保有する作成者設備と、これらの各端末及び作成者設備を接続する通信回線とを備え、前記顧客端末は、前記顧客により入力された広告印刷許可を含む顧客データを前記通信回線を介して前記作成者設備に送信し、前記広告主端末は、前記広告主により入力された広告データを前記通信回線を介して前記作成者設備に送信し、前記作成者設備は、前記顧客データと前記広告データとを照合して前記顧客データに適合する前記広告データを選択した後に名刺用紙に少なくとも顧客の氏名と広告とを含む所要の事項が印刷された名刺を作成し、前記作成業者は、作成された前記名刺を前記顧客に納品するという構成にした。
【００１１】
このように、作成者設備に顧客端末からの広告印刷許可を含む顧客データと広告主端末からの広告データとを受信すると、名刺の作成業者は名刺の空きスペースに広告を印刷することが可能になるので、大学生、高校生、主婦或いはペットの飼い主などの新たな顧客を開拓することができ、受注の増加を図ることができる。また、顧客は広告印刷許可の代償として例えば印刷代金を割引するなどの恩典が受けられるので、低いコストでオリジナルな名刺の所持が可能になる。さらに、広告主は名刺という新たな広告媒体を利用することができ、しかも当該広告を行うに最適な者の名刺に当該広告を印刷することができるので、商品又はサービスの広告を有効に行うことができ、売上げの増加を図ることができる。加えて、顧客データ及び広告データの送信を通信回線を介して行うので、名刺の発注から納品までを短期間に行うことができ、顧客及び広告主の双方に大きな利益をもたらすことができる。
【００１２】
また本発明は、前記構成の広告付き名刺の作成システムにおいて、前記顧客端末が前記作成業者と関連する店舗に設置された専用端末であり、その表示画面には前記顧客データの入力欄が表示されているという構成にした。
【００１３】
このように、顧客端末として、店舗に設置され、その表示画面に顧客データの入力欄が表示された専用端末を用いると、顧客データの入力と送信とを簡単に行うことができるので、顧客の利便性を高めることができる。また、通勤や通学の途上で名刺印刷の依頼を行うことができるので、この点からも顧客の利便性を高めることができる。さらに、店舗が提供する他の商品やサービスの利用も期待できるので、店舗の売上げの増加を図ることもできる。
【００１４】
また本発明は、前記構成の広告付き名刺の作成システムにおいて、前記顧客端末が前記顧客の所有に係るパーソナルコンピュータ又は携帯電話若しくは所有者より使用許可を得たパーソナルコンピュータであり、前記作成業者が開設するウエブサイトにアクセスすることにより、その表示画面に前記顧客データの入力欄が表示されるという構成にした。
【００１５】
このように、顧客端末として、顧客の所有に係るパーソナルコンピュータ又は携帯電話若しくは所有者より使用許可を得たパーソナルコンピュータの利用を可能にすると、顧客は店舗の営業時間に関係なく随時名刺印刷の依頼を行うことができるので、顧客の利便性を高めることができる。一方、名刺の印刷業者にとっても、長時間人員を配置しておく必要がないので、営業の効率化を図ることができる。
【００１６】
また本発明は、前記構成の広告付き名刺の作成システムにおいて、前記作成者設備は、前記名刺に印刷された顧客の顧客データを、当該顧客の名刺に広告を掲載した広告主の広告主端末に送信するという構成にした。
【００１７】
このように、名刺の印刷業者が作成者設備を介して広告主端末に広告主の依頼に係る広告が印刷された名刺の印刷を依頼した顧客の顧客データを送信すると、広告主は当該送信された顧客データに基づいて自己が依頼した広告の効果や悪用の有無をモニターすることができるので、広告宣伝活動の実効性を高めることができる。
【発明の効果】
【００１８】
本発明の広告付き名刺の作成システムは、作成者設備に顧客端末からの広告印刷許可を含む顧客データと広告主端末からの広告データとを受信するので、名刺の作成業者は名刺の空きスペースに広告を印刷することが可能になり、大学生、高校生、主婦或いはペットの飼い主などの新たな顧客を開拓することができて、受注の増加を図ることができる。また、顧客は広告印刷許可の代償として例えば印刷代金を割引するなどの恩典が受けられるので、低いコストでオリジナルな名刺の所持が可能になる。さらに、広告主は名刺という新たな広告媒体を利用することができ、しかも当該広告を行うに最適な者の名刺に当該広告を印刷することができるので、商品又はサービスの広告を有効に行うことができ、売上げの増加を図ることができる。加えて、顧客データ及び広告データの送信を通信回線を介して行うので、名刺の発注から納品までを短期間に行うことができ、顧客及び広告主の双方に大きな利益をもたらすことができる。
【発明を実施するための最良の形態】
【００１９】
以下、本発明に係る広告付き名刺作成システムの最良の実施形態を図１乃至図８に基づいて説明する。図１は実施形態例に係る広告付き名刺作成システムの構成図、図２は顧客端末に表示される表示画面の説明図、図３は広告データの説明図、図４は作成者設備の構成図、図５は名刺の印刷状態を示す説明図、図６は名刺の印刷状態の他の例を示す説明図、図７は普通名刺の発注から納品までの流れを示すフロー図、図８は広告付き名刺の発注から納品までの流れを示すフロー図である。
【００２０】
図１に示すように、本例の広告付き名刺作成システムは、名刺の作成を依頼する顧客が操作する複数の顧客端末１と、名刺への広告の掲載を希望する広告主が操作する複数の広告主端末２と、名刺の作成業者が保有する作成者設備３と、これらの各端末１，２及び作成者設備３を接続する通信回線４とから構成されている。
【００２１】
顧客端末１としては、名刺の作成業者と関連する店舗に設置された専用端末を用いることもできるし、顧客の所有に係るパーソナルコンピュータ又は携帯電話若しくは所有者より使用許可を得たパーソナルコンピュータを用いることができる。
【００２２】
前記専用端末１の表示画面１１には、初期画面として図２（ａ）に示すように普通名刺の選択ボタン１２と広告付き名刺の選択ボタン１３とが表示されており、普通名刺の選択ボタン１２を選択すると、図２（ｂ）の画面に切り替わって、顧客データ１４である住所１４ａ、氏名１４ｂ、電話番号１４ｃ、電子メールアドレス１４ｄ、書体１４ｅ、文字サイズ１４ｆの入力が求められる。一方、広告付き名刺の選択ボタン１３が選択された場合には、図２（ｃ）の画面に切り替わって、顧客データである住所１４ａ、氏名１４ｂ、電話番号１４ｃ、電子メールアドレス１４ｄ、書体１４ｅ、文字サイズ１４ｆ、年齢１４ｇ、職業１４ｈ、学校名１４ｉ、サークル名１４ｊ、趣味１４ｋ、ペットの種類１４ｌ、好きなスポーツ１４ｍ、好きな音楽ジャンル１４ｎ、好きな飲料水１４ｏの入力が求められる。これら顧客データ１４の入力は、図示しない付属の入力装置を操作して行うことができ、入力を希望しない項目については入力を省略することもできる。また、専用端末１にスキャナを付設し、社標や顔写真又はペットの写真等のイメージデータの取り込みを行うようにすることもできる。
【００２３】
また、顧客端末１として顧客の所有に係るパーソナルコンピュータ又は携帯電話若しくは所有者より使用許可を得たパーソナルコンピュータを用いる場合には、名刺の作成業者が開設するウエブサイトにアクセスすることにより、図２（ａ）の初期画面を表示装置に表示することができ、普通名刺の選択ボタン１２又は広告付き名刺の選択ボタン１３を操作することによって、図２（ｂ）の画面又は図２（ｃ）の画面を表示装置に表示することができる。
【００２４】
広告主端末２としては広告主の所有に係るパーソナルコンピュータなどを用いることができ、当該広告主端末２より作成者設備３に送信される広告データ１５には、図３に示すように、広告主の名称１５ａ、広告主の住所１５ｂ、広告主の電話番号１５ｃ、広告主の電子メールアドレス１５ｄ、広告内容１５ｅ、広告期間１５ｆ、広告希望枚数１５ｇ、広告を掲載する名刺所有者の年齢層１５ｈ、職業１５ｉ、学校名１５ｊ、サークル名１５ｋ、趣味１５ｌ、ペットの種類１５ｍ、好きなスポーツ１５ｎ、好きな音楽ジャンル１５ｏ、好きな飲料水１５ｐが含められる。勿論、広告主は、これら全ての広告データ１５ａ〜１５ｐを作成者設備３に送信する必要はなく、必要な項目を適宜取捨選択でき、さらには他の項目を追加することもできる。
【００２５】
作成者設備３は、図４に示すように、顧客端末１から送信された顧客データ１４及び広告主端末２から送信された広告データ１５を登録して格納するデータベース２１と、データベース２１に格納された顧客データ１４と広告データ１５とを照合し、条件が合致する顧客データ１４と広告データ１５とを選択するデータ選択装置２２と、データ選択装置２２にて選択された顧客データ１４と広告データ１５とから名刺用紙に印刷すべき印刷データを自動的に生成する印刷データ自動生成装置２３と、印刷データ自動生成装置２３からの印刷データを取り込んで名刺用紙に自動的に印刷する自動印刷機２４と、名刺に印刷された顧客に関する顧客データを当該顧客の名刺に広告を掲載した広告主の広告主端末２に送信する顧客データ送信装置２５とからなる。データベース２１には、顧客データ１４及び広告データ１５が、例えば登録順或いはデータの種別順などに分類されて格納される。
【００２６】
自動印刷機２４は、名刺用紙に所要の顧客データ１４と広告データ１５とからなる印刷データを印刷し、図５及び図６に例示する名刺３１を作成する。図５はテニスサークルに所属する特許太郎の名刺の裏面にスポーツドリンクの広告を印刷した例を示し、図６はペットである犬のジョンの名刺の裏面にドッグフードの広告を印刷した例を示している。なお、図５及び図６の例においては、広告が名刺用紙の裏面に印刷されているが、表面の空きスペースに広告内容１５ｅを印刷することもできるし、表裏面双方の空きスペースに広告内容１５ｅを印刷することもできる。
【００２７】
以下、前記実施形態例に係る広告付き名刺作成システムを用いた名刺の発注から納品までの流れを図７及び図８を参照しつつ説明する。
【００２８】
顧客が顧客端末１に表示された普通名刺の選択ボタン１２を選択した場合には（手順Ｓ１）、顧客端末１の表示画面が図２（ｂ）の画面に切り替わる（手順Ｓ２）。顧客が顧客端末１に所要の顧客データ１４ａ〜１４ｆを入力し、送信ボタン１６をクリックすると（手順Ｓ３）、当該顧客データ１４ａ〜１４ｆが通信回線４を介して作成者設備３に送信され、データベース２１に格納される（手順Ｓ４）。作成者設備３の印刷データ自動生成装置２３は、データベース２１から未だ印刷が完了していない顧客データ１４ａ〜１４ｆを取り出して印刷データ自動生成装置２３に送り、印刷データ自動生成装置２３は生成された印刷データを自動印刷機２４に送って所要の名刺を印刷する（手順Ｓ５）。名刺の作成業者は、印刷された名刺に印刷ミスがないかどうか確認した後、印刷ミスがない場合には当該名刺の依頼者である顧客に名刺を納品する（手順Ｓ６）。
【００２９】
これに対して、顧客が顧客端末１に表示された広告付き名刺の選択ボタン１３を選択した場合には（手順Ｓ１１）、当該選択ボタン１３の選択信号が通信回線４を介して作成者設備３に送信され、広告印刷許可としてデータベース２１に格納される（手順Ｓ１２）。また、顧客端末１の表示画面が図２（ｃ）の画面に切り替わる（手順Ｓ１３）。顧客が顧客端末１に所要の顧客データ１４ａ〜１４ｏを入力し、送信ボタン１７をクリックすると（手順Ｓ１４）、当該顧客データ１４ａ〜１４ｏが通信回線４を介して作成者設備３に送信され、データベース２１に格納される（手順Ｓ１５）。データベース２１に１乃至複数の広告データが格納されている場合、作成者設備３のデータ選択装置２２は、データベース２１に格納された顧客データ１４ａ〜１４ｏと広告データ１５ａ〜１５ｐとを照合し、条件が合致する顧客データ１４と広告データ１５とを選択して印刷データ自動生成装置２３に送り、印刷データ自動生成装置２３は生成された印刷データを自動印刷機２４に送って所要の名刺を印刷する（手順Ｓ１６）。名刺の作成業者は、顧客データ送信装置２５及び通信回線４を介して広告主端末２に広告主の依頼に係る広告が印刷された名刺の印刷を依頼した顧客に関する顧客データを送信する（手順Ｓ１７）。しかる後に、名刺の作成業者は、印刷された名刺に印刷ミスがないかどうか確認し、印刷ミスがない場合には当該名刺の依頼者である顧客に名刺を納品する（手順Ｓ１８）。
【００３０】
前記実施形態例に係る広告付き名刺の作成システムは、作成者設備３に顧客端末１からの広告印刷許可を含む顧客データ１４と広告主端末２からの広告データ１５とを受信したときに、名刺の作成業者は名刺の空きスペースに広告を印刷することが可能になるので、大学生、高校生、主婦或いはペットの飼い主などの新たな顧客を開拓することができ、受注の増加を図ることができる。また、顧客は広告印刷許可の代償として例えば印刷代金を割引するなどの恩典が受けられるので、低いコストでオリジナルな名刺の所持が可能になる。さらに、広告主は名刺という新たな広告媒体を利用することができ、しかも当該広告を行うに最適な者の名刺に当該広告を印刷することができるので、商品又はサービスの広告を有効に行うことができ、売上げの増加を図ることができる。加えて、顧客データ１４及び広告データ１５の送信を通信回線４を介して行うので、名刺の発注から納品までを短期間に行うことができ、顧客及び広告主の双方に大きな利益をもたらすことができる。
【００３１】
また、前記実施形態例に係る広告付き名刺の作成システムは、顧客端末１として、店舗に設置され、その表示画面に顧客データ１４の入力欄が表示された専用端末を用いることができるので、顧客データ１４の入力と送信とを簡単に行うことができ、顧客の利便性を高めることができる。また、通勤や通学の途上で名刺印刷の依頼を行うことができるので、この点からも顧客の利便性を高めることができる。さらに、店舗が提供する他の商品やサービスの利用も期待できるので、店舗の売上げの増加を図ることもできる。
【００３２】
また、前記実施形態例に係る広告付き名刺の作成システムは、顧客端末１として、顧客の所有に係るパーソナルコンピュータ又は携帯電話若しくは所有者より使用許可を得たパーソナルコンピュータを利用することもできるので、顧客は店舗の営業時間に関係なく随時名刺印刷の依頼を行うことができ、顧客の利便性を高めることができる。一方、名刺の印刷業者にとっても、長時間人員を配置しておく必要がないので、営業の効率化を図ることができる。
【００３３】
また、前記実施形態例に係る広告付き名刺の作成システムは、名刺の印刷業者が作成者設備３を介して広告主端末２に広告主の依頼に係る広告が印刷された名刺の印刷を依頼した顧客の顧客データ１４を送信するので、広告主は当該送信された顧客データ１４に基づいて自己が依頼した広告の効果や悪用の有無をモニターすることができ、広告宣伝活動の実効性を高めることができる。
【図面の簡単な説明】
【００３４】
【図１】実施形態例に係る広告付き名刺作成システムの構成図である。
【図２】顧客端末に表示される表示画面の説明図である。
【図３】広告データの説明図である。
【図４】作成者設備の構成図である。
【図５】名刺の印刷状態を示す説明図である。
【図６】名刺の印刷状態の他の例を示す説明図である。
【図７】普通名刺の発注から納品までの流れを示すフロー図である。
【図８】広告付き名刺の発注から納品までの流れを示すフロー図である。
【符号の説明】
【００３５】
１    顧客端末
２    広告主端末
３    作成者設備
４    通信回線
１２    普通名刺の選択ボタン
１３    広告付き名刺の選択ボタン（広告印刷許可）
１４    顧客データ
１５    広告データ
【図１】
2005122589.tif 000003
【図２】
2005122589.tif 000004
【図３】
2005122589.tif 000005
【図４】
2005122589.tif 000006
【図５】
2005122589.tif 000007
【図６】
2005122589.tif 000008
【図７】
2005122589.tif 000009
【図８】
2005122589.tif 000010